(57)【特許請求の範囲】
【請求項１】
容器体口頸部外面へ嵌合させる装着筒部１を起立筒部２の下端に付設すると共に、その起立筒部の中間部からシリンダ３を、かつ起立筒部の上端から射出筒部４を、それぞれ前方突出し、更に上記射出筒部４の前部へ枢着させて前後方向へ揺動可能に垂設したトリガー６の上部へ、上記シリンダ内へ嵌合させた筒状ピストンから前方突出するピストン棒８前端を係止させ、該トリガーの揺動操作により容器体内液体をシリンダ内へ吸上げ、かつ該シリンダ内液体を射出筒部４前端に嵌着させたノズル筒５から噴出可能に設けたトリガー式液体射出器において、
上記ピストン棒８前端部をトリガー６上部後面へ枢着１１すると共に、トリガー６下端から折返し部形成用の弾性板部２０を介して上後方へ板バネ９を突出して、該板バネ先端を、上記シリンダ下面後部に係止させ、上記トリガー６と弾性板部２０と板バネ９とを、合成樹脂材で一体成形したことを特徴とするトリガー式液体噴出器。
【請求項２】
容器体口頸部外面へ嵌合させる装着筒部１を起立筒部２の下端に付設すると共に、その起立筒部の中間部からシリンダ３を、かつ起立筒部の上端から射出筒部４を、それぞれ前方突出し、更に上記射出筒部４の前部へ枢着させて前後方向へ揺動可能に垂設したトリガー６の上部へ、上記シリンダ内へ嵌合させた筒状ピストンから前方突出するピストン棒８前端を係止させ、該トリガーの揺動操作により容器体内液体をシリンダ内へ吸上げ、かつ該シリンダ内液体を射出筒部４前端に嵌着させたノズル筒５から噴出可能に設けたトリガー式液体射出器において、
上記ピストン棒８前端部をトリガー６上部後面へ枢着１１すると共に、トリガー６下端から折返し部形成用の弾性板部２０を介して上後方へ板バネ９を突出し、かつ該板バネ先端部を二又状部９ｂに形成して、該二又状部を、上記起立筒部２とシリンダ３と射出筒部４とを有する噴出器本体３０と装着筒部１とを連結する筒部分の前半部外面へ嵌合させ、又上記トリガー６と弾性板部２０と板バネ９とを合成樹脂材で一体成形したことを特徴とするトリガー式液体噴出器。
【請求項３】
上記折返し板部を薄肉かつ巾狭の弾性板部２０で形成すると共に、該弾性板部２０先端から、該弾性板部よりも厚肉かつ巾広の板バネ９を突設し、該板バネ下端とトリガー６の下部後面とに設けた係合手段２１で、トリガー６に対する板バネ折返し状態を確実に保持させたことを特徴とする請求項１又は２記載のトリガー式液体噴出器。
【請求項４】
トリガー６の上部後面から筒１５を後方突出すると共に、該筒後端の左右両側部から小短軸１６，  １６を内方突設し、これ等小短軸１６，  １６を、上記ピストン棒８前部の左右両側面に穿設した軸穴８ｂ，  ８ｂ内へ嵌合させたことを特徴とする、請求項１、２、又は３記載のトリガー式液体噴出器。
【発明の詳細な説明】
【０００１】
【発明の属する技術分野】
本発明はトリガー式の液体噴出器に関する。
【０００２】
【従来の技術】
例えば実開平６‐３４７５９  号が示すように、容器体口頸部外面へ嵌合させる装着筒部を起立筒部の下端に付設すると共に、その起立筒部の中間部からシリンダを、かつ起立筒部の上端から射出筒部を、それぞれ前方突出し、更に上記射出筒部の前部に枢着させて前後方向へ揺動可能に垂設したトリガーの上部後面へ、上記シリンダ内へ前方付勢させて嵌合させた筒状ピストンから前方突出するピストン棒前端を係止させ、該トリガーの揺動操作で容器体内液体をシリンダ内へ吸上げ、かつ該シリンダ内液体を射出筒前端に嵌着させたノズル筒から噴出するよう設けたトリガー式液体噴出器が知られている。
【０００３】
【発明が解決しようとする課題】
上記従来のトリガー式液体噴出器は、筒状ピストン前方付勢用のスプリングを金属製のコイルスプリングで形成すると共に、その他部材は合成樹脂材で形成している。よって該液体噴出器廃棄の際は、それ等合成樹脂製の部材と金属製のコイルスプリングとを共に廃棄することとなるが、このようにすると合成樹脂製部材の再利用が困難となる。
【０００４】
請求項１又は請求項２記載の液体噴出器は、金属製のスプリングを使用せず、合成樹脂製部材だけで形成して、その合成樹脂材の再利用が可能とすることであり、又筒状ピストンの前方付勢に代えて、合成樹脂材でトリガーと一体成形した板バネでトリガーを前方付勢し、筒状ピストンはピストン棒前端をトリガー上部に枢着させることでトリガーと共にシリンダ内で前後へ摺動可能として、このような上記トリガーと板バネとの一体成形による部材構造の簡易化で、トリガー式液体噴出器を廉価に成形できるよう設けたものである。
【０００５】
請求項３記載の液体噴出器は、上記請求項１又は２記載の液体噴出器が有する解決課題を有するほか、トリガー下端から薄肉かつ巾狭の弾性板部を介して該板部よりも厚肉かつ巾広の板バネを折返し状に突出し、該板バネ基端とトリガーの下部後面とに設けた係合手段で、該板バネ基端がトリガー下部からずれるようなことがないよう設けたものである。
【０００６】
請求項４記載の液体噴出器は、上記請求項１、２、又は３記載の液体噴出器が有する解決手段を有すると共に、トリガーの上部後面へ上記ピストン棒前端を枢着させることが容易であるよう設けたものである。
【０００７】
【課題を解決するための手段】
第１の手段として、容器体口頸部外面へ嵌合させる装着筒部１を起立筒部２の下端に付設すると共に、その起立筒部の中間部からシリンダ３を、かつ起立筒部の上端から射出筒部４を、それぞれ前方突出し、更に上記射出筒部４の前部へ枢着させて前後方向へ揺動可能に垂設したトリガー６の上部へ、上記シリンダ内へ嵌合させた筒状ピストンから前方突出するピストン棒８前端を係止させ、該トリガーの揺動操作により容器体内液体をシリンダ内へ吸上げ、かつ該シリンダ内液体を射出筒部４前端に嵌着させたノズル筒５から噴出可能に設けたトリガー式液体射出器において、
【０００８】
上記ピストン棒８前端部をトリガー６上部後面へ枢着１１すると共に、トリガー６下端から折返し部形成用の弾性板部２０を介して上後方へ板バネ９を突出して、該板バネ先端を、上記シリンダ下面後部に係止させ、上記トリガー６と弾性板部２０と板バネ９とを、合成樹脂材で一体成形した。
【０００９】
第２の手段として、容器体口頸部外面へ嵌合させる装着筒部１を起立筒部２の下端に付設すると共に、その起立筒部の中間部からシリンダ３を、かつ起立筒部の上端から射出筒部４を、それぞれ前方突出し、更に上記射出筒部４の前部へ枢着させて前後方向へ揺動可能に垂設したトリガー６の上部へ、上記シリンダ内へ嵌合させた筒状ピストンから前方突出するピストン棒８前端を係止させ、該トリガーの揺動操作により容器体内液体をシリンダ内へ吸上げ、かつ該シリンダ内液体を射出筒部４前端に嵌着させたノズル筒５から噴出可能に設けたトリガー式液体射出器において、
【００１０】
上記ピストン棒８前端部をトリガー６上部後面へ枢着１１すると共に、トリガー６下端から折返し部形成用の弾性板部２０を介して上後方へ板バネ９を突出し、かつ該板バネ先端部を二又状部９ｂに形成して、該二又状部を、上記起立筒部２とシリンダ３と射出筒部４とを有する噴出器本体３０と装着筒部１とを連結する筒部分の前半部外面へ嵌合させ、又上記トリガー６と弾性板部２０と板バネ９とを合成樹脂材で一体成形した。
【００１１】
第３の手段として、上記第１又は第２の手段を有すると共に、上記折返し板部を薄肉かつ巾狭の弾性板部２０で形成すると共に、該弾性板部２０先端から、該弾性板部よりも厚肉かつ巾広の板バネ９を突設し、該板バネ下端とトリガー６の下部後面とに設けた係合手段２１で、トリガー６に対する板バネ折返し状態を確実に保持させた。
【００１２】
第４の手段として、上記第１、第２、又は第３の手段を有すると共に、トリガー６の上部後面から筒１５を後方突出すると共に、該筒後端の左右両側部から小短軸１６，  １６を内方突設し、これ等小短軸１６，  １６を、上記ピストン棒８前部の左右両側面に穿設した軸穴８ｂ，  ８ｂ内へ嵌合させた。
【００１３】
【発明の実施の形態】
まずトリガー式液体噴出記の一般的構造について説明すると、１は容器体口頸部外面へ螺合させる装着筒部で、該筒部上部を小外径の嵌合筒部とし、かつ該嵌合筒部上面を閉塞する頂壁中央部に上部閉塞の筒部１ａを貫設し、更に該筒部外周を囲む頂壁部分に上面開口の環状凹溝を周設している。
【００１４】
上記装着筒部１上面には、起立筒部２と、該起立筒部２の中間部から前方突出するシリンダ３と、起立筒部２の上端から前方突出する射出筒部４とを有する噴出器本体３０を嵌合させている。尚該噴出器本体は、その上面および左右両側面、更に後方を、噴出器本体と一体成形したカバー３１で覆っており、上記起立筒部２下端を上記環状凹溝内へ嵌合させると共に、起立筒部２を囲んでカバー内面およびシリンダ下面から垂下させた補助筒３２を既述装着筒部１上部の小外径嵌合筒部部分外面へ嵌合させている。その補助筒３２外径は装着筒部１の下半部よりも小外径としている。射出筒部４前端にはノズル筒５が嵌着させてあり、又射出筒部４前部へ枢着させてトリガー６を垂下し、上記シリンダ内へ嵌合させた筒状ピストン７から前方突設したピストン棒８前端をトリガー６の上部後面へ係合させる。
【００１５】
通常上記筒状ピストン７は、シリンダ内へ装着された金属製のコイルスプリングにより前方付勢され、トリガー引寄せによりシリンダ内液体が図示例と異る位置に設けられた吐出弁を通ってノズル筒５から噴出され、又トリガーの復帰により、玉弁等で形成した吸込み弁を通ってシリンダ３内へ容器体内液体を吸込むよう設けられている。
【００１６】
本発明にあっては、上記金属製のコイルスプリングに代え、トリガー６下端から折返し部を介して上後方へ板バネ９を突設し、該板バネ先端をシリンダ３の下面後部に設けた前面開口の凹部１０内へ係止させ、又ピストン棒８の前端部をトリガー６の上部後方部分へ枢着１１させて、該ピストン棒を介して筒状ピストン７を前方付勢している。
【００１７】
上記トリガー６と折返し部と板バネ９とが形成する板バネ付きトリガー部材は、図２が示す展開形状で合成樹脂材により一体成形する。
図示においてトリガー６は、前板１２の左右両側から左右両側板１３，  １３を後方突設し、又その左右両側板を上方へ延長してその上端部内面から射出筒部４前部の左右両側に穿設した軸穴嵌合用の大短軸１４，  １４を内方突出し、更に前板上部を開口して該開口周縁から後方へ筒１５を突設し、更に又該筒後端の左右両部から図３が示すように小短軸１６，  １６を内方突設している。
【００１８】
トリガー６の前板１２下端部には、図示のように指掛けの便宜のため、つまり指滑止めのために前方への隆起突部１７を付形するとよい。該隆起突部上端の前板部分後面には台部分としての厚肉部１８を設け、かつ該厚肉部下端の左右両側から後方の左右両側板部分へ、図４が示すように挟持板１９，  １９を付設している。
【００１９】
記述折返し部は、前板１２下端の左右方向中間から薄肉かつ巾狭の弾性板部２０を突設して該弾性板部先端から、該弾性板部よりも厚肉かつ巾広の板バネ９を突出して形成する。弾性板部２０は、既述挟持板１９，  １９間の間隙よりもややその横巾を大きく形成し、図１が、又図５が示すように弾性板部２０先端部を挟持板間へ固嵌め可能としている。尚このとき、板バネ９下端面の左右両側部９ａ，  ９ａは、挟持板１９，  １９上面へ係合する。これ等弾性板部２０と、挟持板１９，  １９と、板バネ９下端部とが、トリガー下部後面と板バネ９下端部との係合手段２１を形成するが、該係合手段は、その板バネ下端がトリガー下部後面へ確実に係合し、該係合状態を保持するよう設けたものであればよく、その趣旨を損わない範囲で変更して差支えない。
【００２０】
上記の板バネ付きトリガー部材は、図６、図７が示す第２実施形態のように、板バネ９先端を二又状部９ｂに形成してもよい。この場合は、図８が示すように装着筒部１と噴出器本体３０とを連結する補助筒３２ないし、該補助筒に代るそれ等装着筒部と噴出器本体とを連結する筒部分の前半部外面へ嵌合させればよい。図示形態にあってはトリガー６下部が前限に位置する状態にあって、板バネ９は多少弾性変形していて二又状部９ｂの内面は補助筒３２前面に圧接している。
【００２１】
ピストン棒８付きの筒状ピストン７の一実施形態を図９で示す。ピストン棒は前向き段部を介して順次小径化した複数筒部を介して前端筒部の前壁中央から棒部を突出し、かつその棒部前端を厚肉の板状部８ａとなし、その板状部後部の左右両側に軸穴８ｂ，  ８ｂを、又その板状部前端の左右両側に小短軸１６，  １６ガイド用の斜面溝８ｃ，  ８ｃを、それぞれ穿設している。
【００２２】
尚図１０は弁部材２２を示すもので、図１、図８が示すように、シリンダ後壁中央部から前方突設した弁部材嵌合筒２３へ嵌合させることで、吸込み弁２４と吐出弁２５とを形成している。
【００２３】
【発明の効果】
本発明は既述構成とするものであり、請求項１記載の場合は、トリガー６上部後面へピストン棒８前端部を枢着させると共に、トリガー下端から折返し部としての弾性板部２０を介して上後方へ板バネ９を突出して、該板バネ先端を、シリンダ下面後部に係止させ、上記トリガーと弾性板部２０と板バネ９とを合成樹脂材で一体成形したから、従来のようにシリンダ３内へ装着させて筒状ピストンを前方付勢する金属製コイルスプリングを不要とすることが出来、よってトリガー式液体噴出器の各構成部材をすべて合成樹脂で成形できることとなり、従って該液体噴出器廃棄の際、そのまま溶融する等してその樹脂材料を再利用することが可能となる。又トリガーと板バネとを折返し部としての弾性板部２０を介して合成樹脂材で一体成形したから部材数を少なくして簡易化できることとなり、よって液体噴出器を廉価とすることができる。
【００２４】
請求項２記載の液体噴出器の場合は、上記請求項１記載の効果のほか、板バネ９先端部を二又状部９ｂに形成して、該二又状部を、噴出器の本体と装着筒部１とを連結する筒部分の前半部外面へ嵌合させたから、その板バネ先端部を上記筒部分へ係合させることを極めて容易に行うことが出来る。
【００２５】
請求項３記載の液体噴出器の場合は、上記請求項１又は２記載の効果を有するほか、折返し部を薄肉かつ中狭の弾性板部２０で形成し、該弾性板部先端から該弾性板部よりも厚肉かつ巾広の板バネ９を穿設して、その板バネ下端とトリガー下部後面とに設けた係合手段２１で、トリガー６に対する板バネ９折返し状態を確実に保持させたから、トリガー操作時、板バネ９がトリガーに対してずれる等して不安定となることがない。
【００２６】
更に請求項４記載の液体噴出器は、請求項１、２又は３記載の液体噴出器が有する効果を有するほか、トリガー６上部後面から後方突設した筒１５後端の左右両側から小短軸１６，  １６を内方突出し、これ等小短軸を、ピストン棒８前端部の左右両側面に穿設した軸穴８ｂ，  ８ｂ内へ嵌合させたから、トリガー上部とピストン棒前部との枢着を容易に行うことが出来る。
【図面の簡単な説明】
【図１】本発明トリガー式液体噴出器の縦断面図である。
【図２】図１噴出器に使用している板バネ付きトリガーの縦断面図である。
【図３】トリガー要部の拡大斜視図である。
【図４】トリガー要部の拡大斜視図である。
【図５】トリガーに対して板バネを折返した状態で示す、要部拡大斜視図である。
【図６】別実施形態で示す板バネ付きトリガーの縦断面図である。
【図７】図６トリガー要部の正面図である。
【図８】図６トリガーを使用している液体噴出器の断面図である。
【図９】図１および図８噴出器に使用している、ピストン棒付き筒状ピストンの斜視図である。
【図１０】図１および図８噴出器に使用している弁部材の斜視図である。
【符号の説明】
６…トリガー        ８…ピストン棒
９…板バネ          ２０…弾性板部
【図１】
0003580958.tif 000002
【図２】
0003580958.tif 000003
【図３】
0003580958.tif 000004
【図４】
0003580958.tif 000005
【図５】
0003580958.tif 000006
【図６】
0003580958.tif 000007
【図７】
0003580958.tif 000008
【図８】
0003580958.tif 000009
【図９】
0003580958.tif 000010
【図１０】
0003580958.tif 000011